【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】
原画像信号を前記原画像信号よりも情報量が少ない出力画像信号に変換する画像信号変換装置において、
前記原画像信号から前記出力画像信号と同じ情報量の中間画像信号を生成する中間画像信号生成手段と、
前記中間画像信号の各画素の画素値を各クラスコードと対応付けて記憶する中間画像記憶手段と、
前記各クラスコードに対して予測係数を対応付けて記憶する予測係数記憶手段と、
前記中間画像信号、前記中間画像信号の着目画素に対応付けられた前記クラスコード、および前記原画像信号に基づいて、前記クラスコードに対する最適な前記予測係数を生成し、前記予測係数記憶手段における前記各クラスコードに対する前記予測係数を更新する予測係数更新手段と、
前記中間画像信号、前記中間画像信号の前記着目画素の画素値に対応付けられた前記クラスコードと対応付けられた前記予測係数、並びに前記原画像信号に基づいて、前記中間画像信号の前記着目画素に対する最適な前記クラスコードを選択し、前記中間画像記憶手段における前記中間画像信号の前記着目画素の画素値に対する前記クラスコードの対応付けを更新するクラスコード更新手段と、
所定の条件を満たしたとき、前記中間画像信号を前記出力画像信号に決定する決定手段と
を含むことを特徴とする画像信号変換装置。
【請求項２】
前記予測係数更新手段および前記クラスコード更新手段は、前記決定手段が前記所定の条件を満たしたことを検出するまで、前記予測係数および前記クラスコードの更新を繰り返して実行する
ことを特徴とする請求項１に記載の画像信号変換装置。
【請求項３】
前記中間画像記憶手段が記憶した前記中間画像信号の各画素値、前記予測係数記憶手段が記憶した前記中間画像信号の各画素値に対応する前記クラスコードと対応付けられた前記予測係数に基づいて、前記原画像信号と同じ情報量を有する予測画像信号の１または複数の画素値を生成する予測画像生成手段をさらに含み、
前記決定手段は、前記所定の条件として、前記中間画像信号と前記原画像信号の比較結果に基づく条件を用いる
ことを特徴とする請求項２に記載の画像信号変換装置。
【請求項４】
前記決定手段は、前記中間画像信号と前記原画像信号の誤差を前記比較結果とし、前記比較結果が閾値以下になったとき、前記所定の条件を満たしたと検出する
ことを特徴とする請求項３に記載の画像信号変換装置。
【請求項５】
前記決定手段は、前記予測係数および前記クラスコードの更新回数が閾値に達したとき、前記所定の条件を満たしたと検出する
ことを特徴とする請求項２に記載の画像信号変換装置。
【請求項６】
前記原画像信号および前記中間画像信号に基づいて、初期予測係数を生成し、前記予測係数記憶手段に記憶させる初期予測係数生成手段を
さらに含むことを特徴とする請求項２に記載の画像信号変換装置。
【請求項７】
前記中間画像信号の前記着目画素に基づいて選定される画素の画素値、および前記クラスコード更新手段で更新された前記クラスコードに基づいて、拡張クラスコードを生成する拡張クラスコード生成手段と、
前記拡張クラスコードに対応する拡張予測係数を生成する拡張予測係数生成手段と
をさらに含むことを特徴とする請求項１に記載の画像信号変換装置。
【請求項８】
前記出力画像信号は、前記原画像信号よりも画素数が少ない
ことを特徴とする請求項１に記載の画像信号変換装置。
【請求項９】
前記中間画像記憶手段は、前記中間画像信号の各画素毎に、画素値およびクラスコードを含む画素データを記憶する
ことを特徴とする請求項１に記載の画像信号変換装置。
【請求項１０】
前記出力画像信号および前記予測係数記憶手段に記憶された予測係数を出力する出力手段を
さらに含むことを特徴とする請求項１に記載の画像信号変換装置。
【請求項１１】
前記中間画像信号の注目画素に基づいて選定される着目画素に対応付けられた前記クラスコードと対応付けられた前記予測係数、前記中間画像信号の前記注目画素に基づいて選定される少なくとも１つの着目画素、および前記原画像信号に基づいて、前記中間画像信号の注目画素の最適な画素値を生成し、前記中間画像記憶手段における前記注目画素の画素値を更新する画素値更新手段を
さらに含むことを特徴とする請求項１に記載の画像信号変換装置。
【請求項１２】
原画像信号を前記原画像信号よりも情報量が少ない出力画像信号に変換する画像信号変換装置の画像信号変換方法において、
前記原画像信号から前記出力画像信号と同じ情報量の中間画像信号を生成する中間画像信号生成ステップと、
前記中間画像信号の各画素の画素値を各クラスコードに対応付けて中間画像記憶部に記憶する中間画像記憶ステップと、
各クラスコードに対して予測係数を対応付けて予測係数記憶部に記憶する予測係数記憶ステップと、
前記中間画像信号、前記中間画像信号の着目画素に対応付けられたクラスコード、および前記原画像信号に基づいて、前記クラスコードに対する最適な前記予測係数を生成し、前記予測係数記憶部における前記各クラスコードに対する前記予測係数を更新する予測係数更新ステップと、
前記中間画像信号、前記中間画像信号の着目画素の画素値に対応付けられたクラスコードと対応付けられた予測係数、および前記原画像信号に基づいて、前記中間画像信号の前記着目画素に対する最適な前記クラスコードを選択し、前記中間画像記憶部における前記中間画像信号の前記着目画素の画素値に対する前記クラスコードの対応付けを更新するクラスコード更新ステップと、
所定の条件を満たしたとき、前記予測画像信号を前記出力画像信号に決定する決定ステップと
を含むことを特徴とする画像信号変換方法。
【請求項１３】
原画像信号を前記原画像信号よりも情報量が少ない出力画像信号に変換するコンピュータ制御可能なプログラムであって、
前記原画像信号から前記出力画像信号と同じ情報量の中間画像信号を生成する中間画像信号生成ステップと、
前記中間画像信号の各画素の画素値を各クラスコードに対応付けて中間画像記憶部に記憶する中間画像記憶ステップと、
各クラスコードに対して予測係数を対応付けて予測係数記憶部に記憶する予測係数記憶ステップと、
前記中間画像信号、前記中間画像信号の着目画素に対応付けられたクラスコード、および前記原画像信号に基づいて、前記クラスコードに対する最適な前記予測係数を生成し、前記予測係数記憶部における前記各クラスコードに対する前記予測係数を更新する予測係数更新ステップと、
前記中間画像信号、前記中間画像信号の着目画素の画素値に対応付けられたクラスコードと対応付けられた予測係数、および前記原画像信号に基づいて、前記中間画像信号の前記着目画素に対する最適な前記クラスコードを選択し、前記中間画像記憶部における前記中間画像信号の前記着目画素の画素値に対する前記クラスコードの対応付けを更新するクラスコード更新ステップと、
所定の条件を満たしたとき、前記予測画像信号を前記出力画像信号に決定する決定ステップと
を含むことを特徴とするプログラムが記録されている記録媒体。
【請求項１４】
原画像信号を前記原画像信号よりも情報量が少ない出力画像信号に変換する画像信号変換装置において、
前記原画像信号から前記出力画像信号と同じ情報量の中間画像信号を生成する中間画像信号生成手段と、
前記中間画像信号の各画素の画素値を各クラスコードに対応付けて記憶する中間画像記憶手段と、
前記各クラスコードに対して予測係数を対応付けて記憶する予測係数記憶手段と、
前記中間画像信号、前記中間画像信号の着目画素に対応付けられた前記クラスコード、および前記原画像信号に基づいて、前記クラスコードに対する最適な前記予測係数を生成し、前記予測係数記憶手段における前記各クラスコードに対する予測係数を更新する予測係数更新手段と、
前記中間画像信号の注目画素に基づいて選定される前記着目画素に対応付けられた前記クラスコードと対応付けられた前記予測係数、前記中間画像信号の前記注目画素に基づいて選定される少なくとも１つの前記着目画素、および前記原画像信号に基づいて、前記中間画像信号の前記注目画素の最適な画素値を生成し、前記中間画像記憶手段における前記注目画素の画素値を更新する画素値更新手段と、
所定の条件を満たしたとき、前記中間画像信号を前記出力画像信号に決定する決定手段と
を含むことを特徴とする画像信号変換装置。
【請求項１５】
前記予測係数更新手段および前記画素値更新手段は、前記決定手段が前記所定の条件を満たしたことを検出するまで、前記予測係数および前記画素値の更新を繰り返して実行する
ことを特徴とする請求項１４に記載の画像信号変換装置。
【請求項１６】
前記中間画像記憶手段に記憶された前記中間画像信号の各画素値、および前記予測係数記憶手段に記憶された前記各画素値に対応づけられたクラスコードと対応付けられた予測係数に基づいて、前記原画像信号と同じ情報量を有する予測画像信号の１または複数の画素値を生成する予測画像生成手段をさらに含み、
前記決定手段は、前記所定の条件として、前記中間画像信号と前記原画像信号の比較結果に基づく条件を用いる
ことを特徴とする請求項１５に記載の画像信号変換装置。
【請求項１７】
前記決定手段は、前記中間画像信号と前記原画像信号の誤差を前記比較結果とし、前記比較結果が閾値以下になったとき、前記所定の条件を満たしたと検出する
ことを特徴とする請求項１６に記載の画像信号変換装置。
【請求項１８】
前記決定手段は、前記予測係数および前記画素値の更新回数が閾値に達したとき、前記所定の条件を満たしたと検出する
ことを特徴とする請求項１５に記載の画像信号変換装置。
【請求項１９】
前記原画像信号および前記中間画像信号に基づいて、初期予測係数を生成し、前記予測係数記憶手段に記憶させる初期予測係数生成手段を
さらに含むことを特徴とする請求項１５に記載の画像信号変換装置。
【請求項２０】
前記出力画像信号は、前記原画像信号よりも画素数が少ない
ことを特徴とする請求項１４に記載の画像信号変換装置。
【請求項２１】
前記中間画像記憶手段は、前記中間画像信号の各画素毎に、画素値およびクラスコードを含む画素データを記憶する
ことを特徴とする請求項１４に記載の画像信号変換装置。
【請求項２２】
前記出力画像信号および前記予測係数記憶手段に記憶された予測係数を出力する出力手段を
さらに含むことを特徴とする請求項１４に記載の画像信号変換装置。
【請求項２３】
前記中間画像信号、前記中間画像信号の着目画素の画素値に対応付けられたクラスコードと対応付けられた予測係数、および前記原画像信号に基づいて、前記中間画像信号の前記着目画素に対する最適な前記クラスコードを選択し、前記中間画像記憶手段における前記中間画像信号の前記着目画素の画素値に対するクラスコードの対応付けを更新するクラスコード更新手段を
さらに含むことを特徴とする請求項１４に記載の画像信号変換装置。
【請求項２４】
前記画素値更新手段は、前記注目画素の画素値の更新と同時に、前記着目画素の画素値を更新する
ことを特徴とする請求項１４に記載の画像信号変換装置。
【請求項２５】
原画像信号を前記原画像信号よりも情報量が少ない出力画像信号に変換する画像信号変換装置の画像信号変換方法において、
前記原画像信号から前記出力画像信号と同じ情報量の中間画像信号を生成する中間画像信号生成ステップと、
前記中間画像信号の各画素の画素値を各クラスコードと対応付けて中間画像記憶部に記憶する中間画像記憶ステップと、
各クラスコードに対して予測係数を対応付けて予測係数記憶部に記憶する予測係数記憶ステップと、
前記中間画像信号、前記中間画像信号の着目画素に対応付けられた前記クラスコード、および前記原画像信号に基づいて、前記クラスコードに対する最適な前記予測係数を生成し、前記予測係数記憶部における前記各クラスコードに対する予測係数を更新する予測係数更新ステップと、
前記中間画像信号の注目画素に基づいて選定される前記着目画素に対応付けられた前記クラスコードと対応付けられた前記予測係数、前記中間画像信号の前記注目画素に基づいて選定される少なくとも１つの着目画素、および前記原画像信号に基づいて、前記中間画像信号の前記注目画素の最適な画素値を生成し、前記中間画像記憶部における前記注目画素の画素値を更新する画素値更新ステップと、
所定の条件を満たしたとき、前記中間画像信号を前記出力画像信号に決定する決定ステップと
を含むこと特徴とする画像信号変換方法。
【請求項２６】
原画像信号を前記原画像信号よりも情報量が少ない出力画像信号に変換するコンピュータ制御可能なプログラムであって、
前記原画像信号から前記出力画像信号と同じ情報量の中間画像信号を生成する中間画像信号生成ステップと、
前記中間画像信号の各画素の画素値を各クラスコードと対応付けて中間画像記憶部に記憶する中間画像記憶ステップと、
各クラスコードに対して予測係数を対応付けて予測係数記憶部に記憶する予測係数記憶ステップと、
前記中間画像信号、前記中間画像信号の着目画素に対応付けられた前記クラスコード、および前記原画像信号に基づいて、前記クラスコードに対する最適な前記予測係数を生成し、前記予測係数記憶部における前記各クラスコードに対する予測係数を更新する予測係数更新ステップと、
前記中間画像信号の注目画素に基づいて選定される前記着目画素に対応付けられた前記クラスコードと対応付けられた前記予測係数、前記中間画像信号の前記注目画素に基づいて選定される少なくとも１つの着目画素、および前記原画像信号に基づいて、前記中間画像信号の前記注目画素の最適な画素値を生成し、前記中間画像記憶部における前記注目画素の画素値を更新する画素値更新ステップと、
所定の条件を満たしたとき、前記中間画像信号を前記出力画像信号に決定する決定ステップと
を含むこと特徴とするプログラムが記録されている記録媒体。
【請求項２７】
原情報信号を前記原情報信号よりも情報量が少ない出力情報信号に変換する情報信号変換装置において、
前記原情報信号から前記出力情報信号と同じ情報量の中間情報信号を生成する中間情報信号生成手段と、
前記中間情報信号の各サンプルのサンプル値を各クラスコードと対応付けて記憶する中間情報記憶手段と、
前記各クラスコードに対して予測係数を対応付けて記憶する予測係数記憶手段と、
前記中間情報信号、前記中間情報信号の着目サンプルに対応付けられたクラスコード、および前記原情報信号に基づいて、前記クラスコードに対する最適な前記予測係数を生成し、前記予測係数記憶手段における前記各クラスコードに対する予測係数を更新する予測係数更新手段と、
前記中間情報信号、前記中間情報信号の前記着目サンプルのサンプル値に対応付けられたクラスコードと対応付けられた予測係数、および前記原情報信号に基づいて、前記中間情報信号の前記着目サンプルに対する最適な前記クラスコードを選択し、前記中間情報記憶手段における前記中間情報信号の前記着目サンプルのサンプル値に対する前記クラスコードの対応付けを更新するクラスコード更新手段と、
所定の条件を満たしたとき、前記予測情報信号を前記出力情報信号に決定する決定手段と
を含むことを特徴とする情報信号変換装置。
【請求項２８】
原情報信号を前記原情報信号よりも情報量が少ない出力情報信号に変換する情報信号変換装置の情報信号変換方法において、
前記原情報信号から前記出力情報信号と同じ情報量の中間情報信号を生成する中間情報信号生成手段と、
前記中間情報信号の各サンプルのサンプル値を各クラスコードと対応付けて中間情報記憶部に記憶する中間情報記憶ステップと、
前記各クラスコードに対して予測係数を対応付けて予測係数記憶部に記憶する予測係数記憶手段と、
前記中間情報信号、前記中間情報信号の着目サンプルに対応付けられたクラスコード、および前記原情報信号に基づいて、前記クラスコードに対する最適な前記予測係数を生成し、前記予測係数記憶部における前記各クラスコードに対する予測係数を更新する予測係数更新ステップと、
前記中間情報信号、前記中間情報信号の前記着目サンプルのサンプル値に対応付けられたクラスコードと対応付けられた予測係数、および前記原情報信号に基づいて、前記中間情報信号の前記着目サンプルに対する最適な前記クラスコードを選択し、前記中間情報記憶部における前記中間情報信号の前記着目サンプルのサンプル値に対する前記クラスコードの対応付けを更新するクラスコード更新ステップと、
所定の条件を満たしたとき、前記予測情報信号を前記出力情報信号に決定する決定ステップと
を含むことを特徴とする情報信号変換方法。
【請求項２９】
原情報信号を前記原情報信号よりも情報量が少ない出力情報信号に変換するコンピュータ制御可能なプログラムであって、
前記原情報信号から前記出力情報信号と同じ情報量の中間情報信号を生成する中間情報信号生成手段と、
前記中間情報信号の各サンプルのサンプル値を各クラスコードと対応付けて中間情報記憶部に記憶する中間情報記憶ステップと、
前記各クラスコードに対して予測係数を対応付けて予測係数記憶部に記憶する予測係数記憶手段と、
前記中間情報信号、前記中間情報信号の着目サンプルに対応付けられたクラスコード、および前記原情報信号に基づいて、前記クラスコードに対する最適な前記予測係数を生成し、前記予測係数記憶部における前記各クラスコードに対する予測係数を更新する予測係数更新ステップと、
前記中間情報信号、前記中間情報信号の前記着目サンプルのサンプル値に対応付けられたクラスコードと対応付けられた予測係数、および前記原情報信号に基づいて、前記中間情報信号の前記着目サンプルに対する最適な前記クラスコードを選択し、前記中間情報記憶部における前記中間情報信号の前記着目サンプルのサンプル値に対する前記クラスコードの対応付けを更新するクラスコード更新ステップと、
所定の条件を満たしたとき、前記予測情報信号を前記出力情報信号に決定する決定ステップと
を含むことを特徴とするプログラムが記録されている記録媒体。
【請求項３０】
原情報信号を前記原情報信号よりも情報量が少ない出力情報信号に変換する情報信号変換装置において、
前記原情報信号から前記出力情報信号と同じ情報量の中間情報信号を生成する中間情報信号生成手段と、
前記中間情報信号の各サンプルのサンプル値を各クラスコードに対応付けて記憶する中間情報記憶手段と、
前記各クラスコードに対して予測係数を対応付けて記憶する予測係数記憶手段と、
前記中間情報信号、前記中間情報信号の着目サンプルに対応付けられた前記クラスコード、および前記原情報信号に基づいて、前記クラスコードに対する最適な前記予測係数を生成し、前記予測係数記憶手段における前記各クラスコードに対する前記予測係数を更新する予測係数更新手段と、
前記中間情報信号の注目サンプルに基づいて選定される前記着目サンプルに対応付けられた前記クラスコードと対応付けられた前記予測係数、前記中間情報信号の前記注目サンプルに基づいて選定される少なくとも１つの前記着目サンプル、および前記原情報信号に基づいて、前記中間情報信号の注目サンプルの最適なサンプル値を生成し、前記中間情報記憶手段における前記注目サンプルのサンプル値を更新するサンプル値更新手段と、
所定の条件を満たしたとき、前記中間情報信号を前記出力情報信号に決定する決定手段と
を含むことを特徴とする情報信号変換装置。
【請求項３１】
原情報信号を前記原情報信号よりも情報量が少ない出力情報信号に変換する情報信号変換装置の情報信号変換方法において、
前記原情報信号から前記出力情報信号と同じ情報量の中間情報信号を生成する中間情報信号生成ステップと、
前記中間情報信号の各サンプルのサンプル値を各クラスコードに対応付けて中間情報記憶部に記憶する中間情報記憶ステップと、
前記各クラスコードに対して予測係数を対応付けて予測係数記憶部に記憶する予測係数記憶ステップと、
前記中間情報信号、前記中間情報信号の着目サンプルに対応付けられた前記クラスコード、および前記原情報信号に基づいて、前記クラスコードに対する最適な前記予測係数を生成し、前記予測係数記憶部における前記各クラスコードに対する前記予測係数を更新する予測係数更新ステップと、
前記中間情報信号の注目サンプルに基づいて選定される前記着目サンプルに対応付けられた前記クラスコードと対応付けられた前記予測係数、前記中間情報信号の前記注目サンプルに基づいて選定される少なくとも１つの前記着目サンプル、および前記原情報信号に基づいて、前記中間情報信号の注目サンプルの最適なサンプル値を生成し、前記中間情報記憶部における前記注目サンプルのサンプル値を更新するサンプル値更新ステップと、
所定の条件を満たしたとき、前記中間情報信号を前記出力情報信号に決定する決定ステップと
を含むことを特徴とする情報信号変換方法。
【請求項３２】
原情報信号を前記原情報信号よりも情報量が少ない出力情報信号に変換するコンピュータ制御可能なプログラムであって、
前記原情報信号から前記出力情報信号と同じ情報量の中間情報信号を生成する中間情報信号生成ステップと、
前記中間情報信号の各サンプルのサンプル値を各クラスコードに対応付けて中間情報記憶部に記憶する中間情報記憶ステップと、
前記各クラスコードに対して予測係数を対応付けて予測係数記憶部に記憶する予測係数記憶ステップと、
前記中間情報信号、前記中間情報信号の着目サンプルに対応付けられた前記クラスコード、および前記原情報信号に基づいて、前記クラスコードに対する最適な前記予測係数を生成し、前記予測係数記憶部における前記各クラスコードに対する前記予測係数を更新する予測係数更新ステップと、
前記中間情報信号の注目サンプルに基づいて選定される前記着目サンプルに対応付けられた前記クラスコードと対応付けられた前記予測係数、前記中間情報信号の前記注目サンプルに基づいて選定される少なくとも１つの前記着目サンプル、および前記原情報信号に基づいて、前記中間情報信号の注目サンプルの最適なサンプル値を生成し、前記中間情報記憶部における前記注目サンプルのサンプル値を更新するサンプル値更新ステップと、
所定の条件を満たしたとき、前記中間情報信号を前記出力情報信号に決定する決定ステップと
を含むことを特徴とするプログラムが記録されている記録媒体。
【手続補正２】
【補正対象書類名】明細書
【補正対象項目名】０００８
【補正方法】変更
【補正の内容】
【０００８】
【課題を解決するための手段】
本発明の第１の画像信号変換装置は、原画像信号から出力画像信号と同じ情報量の中間画像信号を生成する中間画像信号生成手段と、中間画像信号の各画素の画素値を各クラスコードと対応付けて記憶する中間画像記憶手段と、各クラスコードに対して予測係数を対応付けて記憶する予測係数記憶手段と、中間画像信号、中間画像信号の着目画素に対応付けられたクラスコード、および原画像信号に基づいて、クラスコードに対する最適な予測係数を生成し、予測係数記憶手段における各クラスコードに対する予測係数を更新する予測係数更新手段と、中間画像信号、中間画像信号の着目画素の画素値に対応付けられたクラスコードと対応付けられた予測係数、並びに原画像信号に基づいて、中間画像信号の着目画素に対する最適なクラスコードを選択し、中間画像記憶手段における中間画像信号の着目画素の画素値に対するクラスコードの対応付けを更新するクラスコード更新手段と、所定の条件を満たしたとき、中間画像信号を出力画像信号に決定する決定手段とを含むことを特徴とする。
【手続補正３】
【補正対象書類名】明細書
【補正対象項目名】０００９
【補正方法】変更
【補正の内容】
【０００９】
前記予測係数更新手段およびクラスコード更新手段は、決定手段が所定の条件を満たしたことを検出するまで、予測係数およびクラスコードの更新を繰り返して実行するようにすることができる。
【手続補正４】
【補正対象書類名】明細書
【補正対象項目名】００１０
【補正方法】変更
【補正の内容】
【００１０】
本発明の第１の画像信号変換装置は、中間画像記憶手段が記憶した中間画像信号の各画素値、予測係数記憶手段が記憶した中間画像信号の各画素値に対応するクラスコードと対応付けられた予測係数に基づいて、原画像信号と同じ情報量を有する予測画像信号の１または複数の画素値を生成する予測画像生成手段をさらに含むことができ、前記決定手段は、所定の条件として、中間画像信号と原画像信号の比較結果に基づく条件を用いるようにすることができる。
【手続補正５】
【補正対象書類名】明細書
【補正対象項目名】００１１
【補正方法】変更
【補正の内容】
【００１１】
前記決定手段は、中間画像信号と原画像信号の誤差を比較結果とし、比較結果が閾値以下になったとき、所定の条件を満たしたと検出するようにすることができる。
【手続補正６】
【補正対象書類名】明細書
【補正対象項目名】００１２
【補正方法】変更
【補正の内容】
【００１２】
前記決定手段は、予測係数およびクラスコードの更新回数が閾値に達したとき、所定の条件を満たしたと検出するようにすることができる。
【手続補正７】
【補正対象書類名】明細書
【補正対象項目名】００１３
【補正方法】変更
【補正の内容】
【００１３】
本発明の第１の画像信号変換装置は、原画像信号および中間画像信号に基づいて、初期予測係数を生成し、予測係数記憶手段に記憶させる初期予測係数生成手段をさらに含むことができる。
【手続補正８】
【補正対象書類名】明細書
【補正対象項目名】００１４
【補正方法】変更
【補正の内容】
【００１４】
本発明の第１の画像信号変換装置は、中間画像信号の着目画素に基づいて選定される画素の画素値、およびクラスコード更新手段で更新されたクラスコードに基づいて、拡張クラスコードを生成する拡張クラスコード生成手段と、拡張クラスコードに対応する拡張予測係数を生成する拡張予測係数生成手段とをさらに含むことができる。
【手続補正９】
【補正対象書類名】明細書
【補正対象項目名】００１５
【補正方法】変更
【補正の内容】
【００１５】
前記中間画像記憶手段は、中間画像信号の各画素毎に、画素値およびクラスコードを含む画素データを記憶するようにすることができる。
【手続補正１０】
【補正対象書類名】明細書
【補正対象項目名】００１６
【補正方法】変更
【補正の内容】
【００１６】
本発明の第１の画像信号変換装置は、出力画像信号および予測係数記憶手段に記憶された予測係数を出力する出力手段をさらに含むことができる。
【手続補正１１】
【補正対象書類名】明細書
【補正対象項目名】００１７
【補正方法】変更
【補正の内容】
【００１７】
本発明の第１の画像信号変換装置は、中間画像信号の注目画素に基づいて選定される着目画素に対応付けられたクラスコードと対応付けられた予測係数、中間画像信号の注目画素に基づいて選定される少なくとも１つの着目画素、および原画像信号に基づいて、中間画像信号の注目画素の最適な画素値を生成し、中間画像記憶手段における注目画素の画素値を更新する画素値更新手段をさらに含むことができる。
【手続補正１２】
【補正対象書類名】明細書
【補正対象項目名】００１８
【補正方法】変更
【補正の内容】
【００１８】
本発明の第１の画像信号変換方法は、原画像信号から出力画像信号と同じ情報量の中間画像信号を生成する中間画像信号生成ステップと、中間画像信号の各画素の画素値を各クラスコードに対応付けて中間画像記憶部に記憶する中間画像記憶ステップと、各クラスコードに対して予測係数を対応付けて予測係数記憶部に記憶する予測係数記憶ステップと、中間画像信号、中間画像信号の着目画素に対応付けられたクラスコード、および原画像信号に基づいて、クラスコードに対する最適な予測係数を生成し、予測係数記憶部における各クラスコードに対する予測係数を更新する予測係数更新ステップと、中間画像信号、中間画像信号の着目画素の画素値に対応付けられたクラスコードと対応付けられた予測係数、および原画像信号に基づいて、中間画像信号の着目画素に対する最適なクラスコードを選択し、中間画像記憶部における中間画像信号の着目画素の画素値に対するクラスコードの対応付けを更新するクラスコード更新ステップと、所定の条件を満たしたとき、予測画像信号を出力画像信号に決定する決定ステップとを含むことを特徴とする。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
本発明の第１の記録媒体のプログラムは、原画像信号から出力画像信号と同じ情報量の中間画像信号を生成する中間画像信号生成ステップと、中間画像信号の各画素の画素値を各クラスコードに対応付けて中間画像記憶部に記憶する中間画像記憶ステップと、各クラスコードに対して予測係数を対応付けて予測係数記憶部に記憶する予測係数記憶ステップと、中間画像信号、中間画像信号の着目画素に対応付けられたクラスコード、および原画像信号に基づいて、クラスコードに対する最適な予測係数を生成し、予測係数記憶部における各クラスコードに対する予測係数を更新する予測係数更新ステップと、中間画像信号、中間画像信号の着目画素の画素値に対応付けられたクラスコードと対応付けられた予測係数、および原画像信号に基づいて、中間画像信号の着目画素に対する最適なクラスコードを選択し、中間画像記憶部における中間画像信号の着目画素の画素値に対するクラスコードの対応付けを更新するクラスコード更新ステップと、所定の条件を満たしたとき、予測画像信号を出力画像信号に決定する決定ステップとを含むことを特徴とする。
【手続補正２２】
【補正対象書類名】明細書
【補正対象項目名】００２８
【補正方法】変更
【補正の内容】
【００２８】
本発明の第２の画像信号変換装置は、原画像信号から出力画像信号と同じ情報量の中間画像信号を生成する中間画像信号生成手段と、中間画像信号の各画素の画素値を各クラスコードに対応付けて記憶する中間画像記憶手段と、各クラスコードに対して予測係数を対応付けて記憶する予測係数記憶手段と、中間画像信号、中間画像信号の着目画素に対応付けられたクラスコード、および原画像信号に基づいて、クラスコードに対する最適な予測係数を生成し、予測係数記憶手段における各クラスコードに対する予測係数を更新する予測係数更新手段と、中間画像信号の注目画素に基づいて選定される着目画素に対応付けられたクラスコードと対応付けられた予測係数、中間画像信号の注目画素に基づいて選定される少なくとも１つの着目画素、および原画像信号に基づいて、中間画像信号の注目画素の最適な画素値を生成し、中間画像記憶手段における注目画素の画素値を更新する画素値更新手段と、所定の条件を満たしたとき、中間画像信号を出力画像信号に決定する決定手段とを含むことを特徴とする。
【手続補正２３】
【補正対象書類名】明細書
【補正対象項目名】００２９
【補正方法】変更
【補正の内容】
【００２９】
前記予測係数更新手段および画素値更新手段は、決定手段が所定の条件を満たしたことを検出するまで、予測係数および画素値の更新を繰り返して実行するようにすることができる。
【手続補正２４】
【補正対象書類名】明細書
【補正対象項目名】００３０
【補正方法】変更
【補正の内容】
【００３０】
本発明の第２の画像信号変換装置は、中間画像記憶手段に記憶された中間画像信号の各画素値、および予測係数記憶手段に記憶された各画素値に対応づけられたクラスコードと対応付けられた予測係数に基づいて、原画像信号と同じ情報量を有する予測画像信号の１または複数の画素値を生成する予測画像生成手段をさらに含むことができ、前記決定手段は、所定の条件として、中間画像信号と原画像信号の比較結果に基づく条件を用いるようにすることができる。
【手続補正２５】
【補正対象書類名】明細書
【補正対象項目名】００３１
【補正方法】変更
【補正の内容】
【００３１】
前記決定手段は、中間画像信号と原画像信号の誤差を比較結果とし、比較結果が閾値以下になったとき、所定の条件を満たしたと検出するようにすることができる。
【手続補正２６】
【補正対象書類名】明細書
【補正対象項目名】００３２
【補正方法】変更
【補正の内容】
【００３２】
前記決定手段は、予測係数および画素値の更新回数が閾値に達したとき、所定の条件を満たしたと検出するようにすることができる。
【手続補正２７】
【補正対象書類名】明細書
【補正対象項目名】００３３
【補正方法】変更
【補正の内容】
【００３３】
本発明の第２の画像信号変換装置は、原画像信号および中間画像信号に基づいて、初期予測係数を生成し、予測係数記憶手段に記憶させる初期予測係数生成手段をさらに含むことができる。
【手続補正２８】
【補正対象書類名】明細書
【補正対象項目名】００３４
【補正方法】変更
【補正の内容】
【００３４】
前記中間画像記憶手段は、中間画像信号の各画素毎に、画素値およびクラスコードを含む画素データを記憶するようにすることができる。
【手続補正２９】
【補正対象書類名】明細書
【補正対象項目名】００３５
【補正方法】変更
【補正の内容】
【００３５】
本発明の第２の画像信号変換装置は、出力画像信号および予測係数記憶手段に記憶された予測係数を出力する出力手段をさらに含むことができる。
【手続補正３０】
【補正対象書類名】明細書
【補正対象項目名】００３６
【補正方法】変更
【補正の内容】
【００３６】
本発明の第２の画像信号変換装置は、中間画像信号、中間画像信号の着目画素の画素値に対応付けられたクラスコードと対応付けられた予測係数、および原画像信号に基づいて、中間画像信号の着目画素に対する最適なクラスコードを選択し、中間画像記憶手段における中間画像信号の着目画素の画素値に対するクラスコードの対応付けを更新するクラスコード更新手段をさらに含むことができる。
【手続補正３１】
【補正対象書類名】明細書
【補正対象項目名】００３７
【補正方法】変更
【補正の内容】
【００３７】
前記画素値更新手段は、注目画素の画素値の更新と同時に、着目画素の画素値を更新するようにすることができる。
【手続補正３２】
【補正対象書類名】明細書
【補正対象項目名】００３８
【補正方法】変更
【補正の内容】
【００３８】
本発明の第２の画像信号変換方法は、原画像信号から出力画像信号と同じ情報量の中間画像信号を生成する中間画像信号生成ステップと、中間画像信号の各画素の画素値を各クラスコードと対応付けて中間画像記憶部に記憶する中間画像記憶ステップと、各クラスコードに対して予測係数を対応付けて予測係数記憶部に記憶する予測係数記憶ステップと、中間画像信号、中間画像信号の着目画素に対応付けられたクラスコード、および原画像信号に基づいて、クラスコードに対する最適な予測係数を生成し、予測係数記憶部における各クラスコードに対する予測係数を更新する予測係数更新ステップと、中間画像信号の注目画素に基づいて選定される着目画素に対応付けられたクラスコードと対応付けられた予測係数、中間画像信号の注目画素に基づいて選定される少なくとも１つの着目画素、および原画像信号に基づいて、中間画像信号の注目画素の最適な画素値を生成し、中間画像記憶部における注目画素の画素値を更新する画素値更新ステップと、所定の条件を満たしたとき、中間画像信号を出力画像信号に決定する決定ステップとを含むこと特徴とする。
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】変更
【補正の内容】
【００４６】
本発明の第２の記録媒体のプログラムは、原画像信号から出力画像信号と同じ情報量の中間画像信号を生成する中間画像信号生成ステップと、中間画像信号の各画素の画素値を各クラスコードと対応付けて中間画像記憶部に記憶する中間画像記憶ステップと、各クラスコードに対して予測係数を対応付けて予測係数記憶部に記憶する予測係数記憶ステップと、中間画像信号、中間画像信号の着目画素に対応付けられたクラスコード、および原画像信号に基づいて、クラスコードに対する最適な予測係数を生成し、予測係数記憶部における各クラスコードに対する予測係数を更新する予測係数更新ステップと、中間画像信号の注目画素に基づいて選定される着目画素に対応付けられたクラスコードと対応付けられた予測係数、中間画像信号の注目画素に基づいて選定される少なくとも１つの着目画素、および原画像信号に基づいて、中間画像信号の注目画素の最適な画素値を生成し、中間画像記憶部における注目画素の画素値を更新する画素値更新ステップと、所定の条件を満たしたとき、中間画像信号を出力画像信号に決定する決定ステップとを含むこと特徴とする。
【手続補正４１】
【補正対象書類名】明細書
【補正対象項目名】００４７
【補正方法】変更
【補正の内容】
【００４７】
本発明の第３の情報信号変換装置は、原情報信号から出力情報信号と同じ情報量の中間情報信号を生成する中間情報信号生成手段と、中間情報信号の各サンプルのサンプル値を各クラスコードと対応付けて記憶する中間情報記憶手段と、各クラスコードに対して予測係数を対応付けて記憶する予測係数記憶手段と、中間情報信号、中間情報信号の着目サンプルに対応付けられたクラスコード、および原情報信号に基づいて、クラスコードに対する最適な予測係数を生成し、予測係数記憶手段における各クラスコードに対する予測係数を更新する予測係数更新手段と、中間情報信号、中間情報信号の着目サンプルのサンプル値に対応付けられたクラスコードと対応付けられた予測係数、および原情報信号に基づいて、中間情報信号の着目サンプルに対する最適なクラスコードを選択し、中間情報記憶手段における中間情報信号の着目サンプルのサンプル値に対するクラスコードの対応付けを更新するクラスコード更新手段と、所定の条件を満たしたとき、予測情報信号を出力情報信号に決定する決定手段とを含むことを特徴とする。
【手続補正４２】
【補正対象書類名】明細書
【補正対象項目名】００４８
【補正方法】変更
【補正の内容】
【００４８】
本発明の第３の情報信号変換方法は、原情報信号から出力情報信号と同じ情報量の中間情報信号を生成する中間情報信号生成手段と、中間情報信号の各サンプルのサンプル値を各クラスコードと対応付けて中間情報記憶部に記憶する中間情報記憶ステップと、各クラスコードに対して予測係数を対応付けて予測係数記憶部に記憶する予測係数記憶手段と、中間情報信号、中間情報信号の着目サンプルに対応付けられたクラスコード、および原情報信号に基づいて、クラスコードに対する最適な予測係数を生成し、予測係数記憶部における各クラスコードに対する予測係数を更新する予測係数更新ステップと、中間情報信号、中間情報信号の着目サンプルのサンプル値に対応付けられたクラスコードと対応付けられた予測係数、および原情報信号に基づいて、中間情報信号の着目サンプルに対する最適なクラスコードを選択し、中間情報記憶部における中間情報信号の着目サンプルのサンプル値に対するクラスコードの対応付けを更新するクラスコード更新ステップと、所定の条件を満たしたとき、予測情報信号を出力情報信号に決定する決定ステップとを含むことを特徴とする。
【手続補正４３】
【補正対象書類名】明細書
【補正対象項目名】００４９
【補正方法】変更
【補正の内容】
【００４９】
本発明の第３の記録媒体のプログラムは、原情報信号から出力情報信号と同じ情報量の中間情報信号を生成する中間情報信号生成手段と、中間情報信号の各サンプルのサンプル値を各クラスコードと対応付けて中間記憶部に記憶する中間情報記憶ステップと、各クラスコードに対して予測係数を対応付けて予測係数記憶部に記憶する予測係数記憶手段と、中間情報信号、中間情報信号の着目サンプルに対応付けられたクラスコード、および原情報信号に基づいて、クラスコードに対する最適な予測係数を生成し、予測係数記憶部における各クラスコードに対する予測係数を更新する予測係数更新ステップと、中間情報信号、中間情報信号の着目サンプルのサンプル値に対応付けられたクラスコードと対応付けられた予測係数、および原情報信号に基づいて、中間情報信号の着目サンプルに対する最適なクラスコードを選択し、中間情報記憶部における中間情報信号の着目サンプルのサンプル値に対するクラスコードの対応付けを更新するクラスコード更新ステップと、所定の条件を満たしたとき、予測情報信号を出力情報信号に決定する決定ステップとを含むことを特徴とする。
【手続補正４４】
【補正対象書類名】明細書
【補正対象項目名】００５０
【補正方法】変更
【補正の内容】
【００５０】
本発明の第４の情報信号変換装置は、原情報信号から出力情報信号と同じ情報量の中間情報信号を生成する中間情報信号生成手段と、中間情報信号の各サンプルのサンプル値を各クラスコードに対応付けて記憶する中間情報記憶手段と、各クラスコードに対して予測係数を対応付けて記憶する予測係数記憶手段と、中間情報信号、中間情報信号の着目サンプルに対応付けられたクラスコード、および原情報信号に基づいて、クラスコードに対する最適な予測係数を生成し、予測係数記憶手段における各クラスコードに対する予測係数を更新する予測係数更新手段と、中間情報信号の注目サンプルに基づいて選定される着目サンプルに対応付けられたクラスコードと対応付けられた予測係数、中間情報信号の注目サンプルに基づいて選定される少なくとも１つの着目サンプル、および原情報信号に基づいて、中間情報信号の注目サンプルの最適なサンプル値を生成し、中間情報記憶手段における注目サンプルのサンプル値を更新するサンプル値更新手段と、所定の条件を満たしたとき、中間情報信号を出力情報信号に決定する決定手段とを含むことを特徴とする。
【手続補正４５】
【補正対象書類名】明細書
【補正対象項目名】００５１
【補正方法】変更
【補正の内容】
【００５１】
本発明の第４の情報信号変換方法は、原情報信号から出力情報信号と同じ情報量の中間情報信号を生成する中間情報信号生成ステップと、中間情報信号の各サンプルのサンプル値を各クラスコードに対応付けて中間情報記憶部に記憶する中間情報記憶ステップと、各クラスコードに対して予測係数を対応付けて予測係数記憶部に記憶する予測係数記憶ステップと、中間情報信号、中間情報信号の着目サンプルに対応付けられたクラスコード、および原情報信号に基づいて、クラスコードに対する最適な予測係数を生成し、予測係数記憶部における各クラスコードに対する予測係数を更新する予測係数更新ステップと、中間情報信号の注目サンプルに基づいて選定される着目サンプルに付けられたクラスコードと対応付けられた予測係数、中間情報信号の注目サンプルに基づいて選定される少なくとも１つの着目サンプル、および原情報信号に基づいて、中間情報信号の注目サンプルの最適なサンプル値を生成し、中間情報記憶部における注目サンプルのサンプル値を更新するサンプル値更新ステップと、所定の条件を満たしたとき、中間情報信号を出力情報信号に決定する決定ステップとを含むことを特徴とする。
【手続補正４６】
【補正対象書類名】明細書
【補正対象項目名】００５２
【補正方法】変更
【補正の内容】
【００５２】
本発明の第４の記録媒体のプログラムは、原情報信号から出力情報信号と同じ情報量の中間情報信号を生成する中間情報信号生成ステップと、中間情報信号の各サンプルのサンプル値を各クラスコードに対応付けて中間情報記憶部に記憶する中間情報記憶ステップと、各クラスコードに対して予測係数を対応付けて予測係数記憶部に記憶する予測係数記憶ステップと、中間情報信号、中間情報信号の着目サンプルに対応付けられたクラスコード、および原情報信号に基づいて、クラスコードに対する最適な予測係数を生成し、予測係数記憶部における各クラスコードに対する予測係数を更新する予測係数更新ステップと、中間情報信号の注目サンプルに基づいて選定される着目サンプルに付けられたクラスコードと対応付けられた予測係数、中間情報信号の注目サンプルに基づいて選定される少なくとも１つの着目サンプル、および原情報信号に基づいて、中間情報信号の注目サンプルの最適なサンプル値を生成し、中間情報記憶部における注目サンプルのサンプル値を更新するサンプル値更新ステップと、所定の条件を満たしたとき、中間情報信号を出力情報信号に決定する決定ステップとを含むことを特徴とする。
【手続補正４７】
【補正対象書類名】明細書
【補正対象項目名】００５３
【補正方法】変更
【補正の内容】
【００５３】
本発明の第１の画像信号変換装置、画像信号変換方法、および記録媒体のプログラムにおいては、原画像信号から出力画像信号と同じ情報量の中間画像信号が生成され、中間画像信号の各画素の画素値が各クラスコードに対応付けて中間画像記憶部に記憶され、各クラスコードに対して予測係数が対応付けられて予測係数記憶部に記憶される。また、中間画像信号、中間画像信号の着目画素に対応付けられたクラスコード、および原画像信号に基づいて、クラスコードに対する最適な予測係数が生成されて予測係数記憶部における各クラスコードに対する予測係数が更新される。また、中間画像信号、中間画像信号の着目画素の画素値に対応付けられたクラスコードと対応付けられた予測係数、および原画像信号に基づいて、中間画像信号の着目画素に対する最適なクラスコードが選択されて中間画像記憶部における中間画像信号の着目画素の画素値に対するクラスコードの対応付けが更新される。さらに、所定の条件を満たしたとき、予測画像信号が出力画像信号に決定される。
【手続補正４８】
【補正対象書類名】明細書
【補正対象項目名】００５４
【補正方法】変更
【補正の内容】
【００５４】
本発明の第２の画像信号変換装置、画像信号変換方法、および記録媒体のプログラムにおいては、原画像信号から出力画像信号と同じ情報量の中間画像信号が生成され、中間画像信号の各画素の画素値が各クラスコードと対応付けて中間画像記憶部に記憶され、各クラスコードに対して予測係数が対応付けられて予測係数記憶部に記憶される。また、中間画像信号、中間画像信号の着目画素に対応付けられたクラスコード、および原画像信号に基づいて、クラスコードに対する最適な予測係数が生成されて予測係数記憶部における各クラスコードに対する予測係数が更新される。また、中間画像信号の注目画素に基づいて選定される着目画素に対応付けられたクラスコードと対応付けられた予測係数、中間画像信号の注目画素に基づいて選定される少なくとも１つの着目画素、および原画像信号に基づいて、中間画像信号の注目画素の最適な画素値が生成されて中間画像記憶部における注目画素の画素値が更新される。さらに、所定の条件を満たしたとき、中間画像信号が出力画像信号に決定される。
【手続補正４９】
【補正対象書類名】明細書
【補正対象項目名】００５５
【補正方法】変更
【補正の内容】
【００５５】
本発明の第３の情報信号変換装置、情報信号変換方法、および記録媒体のプログラムにおいては、原情報信号から出力情報信号と同じ情報量の中間情報信号が生成され、中間情報信号の各サンプルのサンプル値が各クラスコードと対応付けて中間記憶部に記憶され、各クラスコードに対して予測係数が対応付けられて予測係数記憶部に記憶される。また、中間情報信号、中間情報信号の着目サンプルに対応付けられたクラスコード、および原情報信号に基づいて、クラスコードに対する最適な予測係数が生成されて予測係数記憶部における各クラスコードに対する予測係数が更新される。また、中間情報信号、中間情報信号の着目サンプルのサンプル値に対応付けられたクラスコードと対応付けられた予測係数、および原情報信号に基づいて、中間情報信号の着目サンプルに対する最適なクラスコードが選択されて中間情報記憶部における中間情報信号の着目サンプルのサンプル値に対するクラスコードの対応付けが更新される。さらに、所定の条件を満たしたとき、予測情報信号が出力情報信号に決定される。
【手続補正５０】
【補正対象書類名】明細書
【補正対象項目名】００５６
【補正方法】変更
【補正の内容】
【００５６】
本発明の第４の情報信号変換装置、情報信号変換方法、および記録媒体のプログラムにおいては、原情報信号から出力情報信号と同じ情報量の中間情報信号が生成され、中間情報信号の各サンプルのサンプル値が各クラスコードに対応付けて中間情報記憶部に記憶され、各クラスコードに対して予測係数が対応付けられて予測係数記憶部に記憶される。また、中間情報信号、中間情報信号の着目サンプルに対応付けられたクラスコード、および原情報信号に基づいて、クラスコードに対する最適な予測係数が生成されて予測係数記憶部における各クラスコードに対する予測係数が更新される。また、中間情報信号の注目サンプルに基づいて選定される着目サンプルに付けられたクラスコードと対応付けられた予測係数、中間情報信号の注目サンプルに基づいて選定される少なくとも１つの着目サンプル、および原情報信号に基づいて、中間情報信号の注目サンプルの最適なサンプル値が生成されて中間情報記憶部における注目サンプルのサンプル値が更新される。さらに、所定の条件を満たしたとき、中間情報信号が出力情報信号に決定される。
【手続補正５１】
【補正対象書類名】明細書
【補正対象項目名】０２３６
【補正方法】変更
【補正の内容】
【０２３６】
【発明の効果】
以上のように、本発明の第１の画像信号変換装置、画像信号変換方法、および記録媒体のプログラムによれば、原画像を復元可能な上位階層画像を生成することが可能となる。
【手続補正５２】
【補正対象書類名】明細書
【補正対象項目名】０２３７
【補正方法】変更
【補正の内容】
【０２３７】
また、本発明の第２の画像信号変換装置、画像信号変換方法、および記録媒体のプログラムによれば、原画像を復元可能な上位階層画像を生成することが可能となる。
【手続補正５３】
【補正対象書類名】明細書
【補正対象項目名】０２３８
【補正方法】変更
【補正の内容】
【０２３８】
また、本発明の第３の情報信号変換装置、情報信号変換方法、および記録媒体のプログラムによれば、原信号を復元可能な上位階層信号を生成することが可能となる。
【手続補正５４】
【補正対象書類名】明細書
【補正対象項目名】０２３９
【補正方法】変更
【補正の内容】
【０２３９】
また、本発明の第４の情報信号変換装置、情報信号変換方法、および記録媒体のプログラムによれば、原信号を復元可能な上位階層信号を生成することが可能となる。